(57)【要約】      （修正有）【課題】監視装置や無線通信機器の設置を容易にするシステムを提供する。【解決手段】システムは、監視装置３と、無線通信装置２と、監視装置３の信号を遠隔地で確認する端末１とを含む。出入口誘導灯４や通路誘導灯５、非常用照明器具など消防に関連する法令に基づいて設置が必要とされる機器において電源が確保されていることや、設置個所が出入口や通路に設置されることが求められることから、これらの機器と監視装置３と無線通信装置２とを組み合わせることで電源を同一配線とする。【選択図】図１
0003234272.tif 000002
【実用新案登録請求の範囲】
【請求項１】
建物の出入口や非常口に設置される設備である出入口誘導灯や、通路や階段付近に設置さる通路誘導灯、非常用照明器具、これら安全な避難に資することを目的として設置される電気設備と、無線機器の中継器などの無線による送受信機器とを電源を一にし稼働する組み合わせ。
【請求項２】
建物の出入口や非常口に設置される設備である出入口誘導灯や、通路や階段付近に設置さる通路誘導灯、非常用照明器具、これら安全な避難に資することを目的として設置される電気設備と、監視装置を組み合わせることにより状況を遠隔から確認することができるもの。
【請求項３】
請求項１と請求項２を組み合わせたもので、監視装置と無線中継装置が安全な避難を目的に供される電気設備とを組み合わせ電源を一にし稼働する組み合わせ。
【考案の詳細な説明】
【技術分野】
【０００１】  本考案は通信システムと防災や防犯等の遠隔地を監視するための監視装置に関するものである。
【背景技術】
【０００２】  カメラやセンサーなど監視するための装置の設置、無線送受信機器の設置について、これまでは機器ごとに電源や信号配線を確保する必要があり、設置に際しては配線の費用や作業について負担する必要が生じる。
【考案の概要】
【考案が解決しようとする課題】
【０００３】  監視箇所における監視装置に加え、無線送受信機器の設置を容易にし、効果的な監視や通信に資することを課題とする。【０００４】  従来の無線中継装置は、その効果範囲を拡張するために個別に設置されるが、個別に設置作業の負担が発生する。また、監視装置にしても同様である。【０００５】  監視装置に関して効果的に監視できる範囲を選定し個別に設置することとなる一方で、その設置箇所は出入口付近や通路あるいは階段踊り場など避難導線上必要となる箇所となることが想定され、当該箇所に設置される誘導灯や非常用照明器具が設置個所の付近と必然的に重なることとなることから、出入口誘導灯や通路誘導灯のほか非常用照明器具に機能を追加することは合理的である。
【課題を解決するための手段】
【０００６】  消防法令や建築関連法令（消防法施行令第二六条、建築基準法施行令第一二六条の四など）により、建物の出入口や共用通路等に安全な避難を目的として設置が求められ、また恒常的に通電することが必要となる非常口誘導灯、通路誘導灯、非常用照明器具、これらと電源を同一とし組み合わせることで、監視装置や無線装置に個別の電源や信号の配線をする必要を排し課題を解決する。
【考案の効果】
【０００７】  この考案により、恒常的に通電することが求められる避難誘導の用途を目的とした器具の電源を利用することにより電源の配線の省略が可能となり、また、信号の配線についても無線送受信とすることで配線が省略でき、設置上の作業量や費用が軽減され、建物の出入口部分、共用通路部や階段部分に監視装置を配置することができ、防災上重要である避難状況の確認に加え、防犯上においても出入の監視可能な範囲の拡大でき、これらについて容易に対応することが可能となる。【０００８】  これらのことにより、監視装置の設置が容易となり、監視できる範囲が広がることが期待できる。【０００９】  また、監視装置と確認するための機器の間を無線通信とすることにともなう設置機器に、送信機能のみではなく、電波を中継する機能を持たせることにより、タブレット端末や携帯電話の利用可能範囲を確保することが可能となる。【００１０】  これらのことにより、監視箇所における監視装置の設置に加え、無線送受信機器の設置を容易にし、効果的な監視や通信に資する。
【図面の簡単な説明】
【００１１】
【図１】  本考案の実施状況の構成イメージ図
【図２】  誘導灯等の近傍に監視装置や通信装置を設置をした状況のイメージ図
【図３】  通信機器との伝達についてのイメージ図
【図４】  監視装置と通信機器を出入口誘導灯直近に設置したイメージ図
【図５】  監視装置と通信機器を出入口誘導灯に内蔵したイメージ図
【図６】  監視装置と通信機器を通路誘導灯直近に設置したイメージ図
【図７】  監視装置と通信機器を非常用照明器具直近に設置したイメージ図
【考案を実施するための形態】
【００１２】  配線を極力少なくする目的を、監視装置とその信号を送信する機器を出入口誘導灯や通路誘導灯、非常用照明器具と同一にすることにより実現する。
【実施例】
【００１３】  図１は各所に設置した出入口誘導灯４や通路誘導灯５、非常用照明器具６の近傍に設置した監視装置３の信号を遠隔地に設置された端末１にて確認できるようにした状況のイメージ図である。【００１４】  図２は建物内各所に設置された出入口誘導灯４や通路誘導灯５、非常用照明器具６の近傍に監視装置３や通信装置２を設置した状況を俯瞰的に見た状況のイメージ図である。【００１５】  図３は携帯電話やタブレット端末７の通信を無線送受信装置２を介して中継している状況についてイメージしたものである。【００１６】  図４は監視装置３を出入口誘導灯４に外装し、その近傍に無線送受信装置２を設置した状況例をイメージしたものである。【００１７】  図５は監視装置や通信装置をを内蔵した出入口誘導灯をイメージしたものであり、監視装置が支障なく機能するためのピンホール若しくは突起部分８を設けた状況を示したものである。【００１８】  図６は監視装置３を通路誘導灯５に外装し、その近傍に無線送受信装置２を設置した状況をイメージしたものである。【００１９】  図７は監視装置２を非常用照明器具６に外装し、その近傍に無線送受信装置２を設置した状況をイメージしたものである。【００２０】  図２で例示するように、図４、図５、図６、図７にて表される形態にて各所に監視装置３や無線送受信装置２を設置することにより図１のように遠隔地から各所の状況を確認することができるようになり、図３のように携帯電話やタブレット端末の使用範囲拡大にも資することが可能となる。
【産業上の利用可能性】
【００２１】  本発明に係る監視システムは、電源や画像等の信号の配線工事を大幅に省略でき、広範囲な監視を容易に実現でき、無線通信端末の効果範囲拡大にも資することから、産業上の利用可能性を有する。
【符号の説明】
【００２２】１    監視内容を受信する端末機器
２    無線送受信装置
３    監視装置を内包するカバー
４    出入口誘導灯
５    通路誘導灯
６    階段常夜灯
７    携帯電話やタブレット端末
８    監視装置の機能確保のためのピンホール若しくは突起部
【図１】
0003234272.tif 000003
【図２】
0003234272.tif 000004
【図３】
0003234272.tif 000005
【図４】
0003234272.tif 000006
【図５】
0003234272.tif 000007
【図６】
0003234272.tif 000008
【図７】
0003234272.tif 000009
【手続補正書】
【提出日】令和3年2月17日(2021.2.17)
【手続補正１】
【補正対象書類名】実用新案登録請求の範囲
【補正対象項目名】全文
【補正方法】変更
【補正の内容】
【実用新案登録請求の範囲】
【請求項１】
建物の出入口や非常口に設置される設備である出入口誘導灯や、通路や階段付近に設置さる通路誘導灯、非常用照明器具、これら安全な避難に資することを目的として設置される電気設備と、無線通信の送受信や中継する機器との電源を同一として稼働するよう組み合わせた物品ならびにそのシステム。
【請求項２】
建物の出入口や非常口に設置される設備である出入口誘導灯や、通路や階段付近に設置さる通路誘導灯、非常用照明器具、これら安全な避難に資することを目的として設置される電気設備と、監視装置を同一の電源にて稼働するよう組み合わせることにより状況を遠隔から確認することができる物品ならびにそのシステム。
【請求項３】
請求項１と請求項２を組み合わせたもので、安全な避難を目的に供される電気設備に、無線通信の送受信や中継を目的とした機器と、監視装置を同一の電源にて稼働するよう組み合わせることにより遠隔から状況を確認することができる物品ならびにそのシステム。
【手続補正書】
【提出日】令和3年6月18日(2021.6.18)
【手続補正１】
【補正対象書類名】実用新案登録請求の範囲
【補正対象項目名】全文
【補正方法】変更
【補正の内容】
【実用新案登録請求の範囲】
【請求項１】
安全な避難に資することを目的として建物の出入口や非常口に設置される電気設備である出入口誘導灯や、通路や階段付近に設置される通路誘導灯、非常用照明器具、これらの少なくとも一つと、無線通信の送受信や中継をする無線通信機器と、を双方ともが電源を同一とする配線から分岐して電力の供給を受けて動作するように組み合わせたシステム。
【請求項２】
安全な避難に資することを目的として建物の出入口や非常口に設置される電気設備である出入口誘導灯や、通路や階段付近に設置される通路誘導灯、非常用照明器具、これらの少なくとも一つと、遠隔から状況を確認するための監視装置と、を双方ともが電源を同一とする配線から分岐して電力の供給を受けて動作するように組み合わせたシステム。
【請求項３】
請求項１と請求項２を組み合わせたもので、安全な避難を目的に供される電気設備と、無線通信の送受信や中継を目的とした機器と、遠隔から状況を確認するための監視装置とを、いずれもが電源を同一とする配線から分岐して電力の供給を受けて動作するように組み合わせたシステム。